(57)【要約】      （修正有）【課題】目地部が狭くなるよう地震等によって揺れ動いても、その揺れ動きを吸収することができ、目地プレートを常時支持プレートに吸着状態で固定し、目地プレートがバタついたりするのを阻止できる床用目地装置を得る。【解決手段】一方の建物の目地部２側の床躯体３ａより目地部のほぼ３分の２部位へ突出するように形成されたスラブ４と、このスラブの上面に固定された磁石が吸着される金属材製の支持プレート７と、他方の建物の上部が傾斜面９の先端部が支持プレートのほぼ中央部に支持される他方の吸着固定用磁石１１を有する目地プレートと、残りの上面を覆う一方の吸着固定用磁石１４を有する下面に傾斜面１２が形成された目地プレートと、一方の目地プレートの後端部に少なくとも２個以上取付けられた支持ピン１５を上下移動可能に支持するスラブの後端部寄りの部位に形成された少なくとも２個以上の支持ピン支持孔１６とで床用目地装置を構成している。【選択図】図３
2005126951.tif 000002
【特許請求の範囲】
【請求項１】
目地部を介して設けられた左右の建物の、一方の目地部側の床躯体より、目地部のほぼ３分の２部位へ突出するように形成されたスラブと、このスラブの上面に固定された金属材製の支持プレートと、前記スラブと対応する部位の、前記他方の建物の目地部側の床躯体に後端部が取付けられ、上部が傾斜面の先端部が前記支持プレートのほぼ中央部に支持される他方の目地プレートと、前記他方の目地プレートの先端部と当接する下面に傾斜面が形成された、前記支持プレートの残りの上面を覆う一方の目地プレートと、前記一方の目地プレートの後端部に少なくとも２個以上取付けられた支持ピンを上下移動可能に支持する、前記スラブの後端部寄りの部位に形成された少なくとも２個以上の支持ピン支持孔とからなることを特徴とする床用目地装置。
【請求項２】
目地部を介して設けられた左右の建物の、一方の目地部側の床躯体の目地部の左右方向の寸法のほぼ２倍の部位に固定された、磁石が吸着される金属材製の支持プレートと、この支持プレートと対応する部位の前記他方の建物の目地部側の床躯体に後端部が取付けられ、上部が傾斜面の先端部が該支持プレートのほぼ中央部に支持される他方の目地プレートと、この他方の目地プレートを常時前記支持プレートに吸着固定させる他方の目地プレート吸着固定用磁石と、前記他方の目地プレートの先端部と当接する下面に傾斜面が形成された、前記支持プレートの残りの上面を覆う一方の目地プレートと、この一方の目地プレートを常時前記支持プレートに吸着固定させる一方の目地プレート吸着固定用磁石と、前記一方の目地プレートの後端部に少なくとも２個以上取付けられた支持ピンを上下移動可能に支持する、前記支持プレートの後端部寄りの部位の前記一方の床躯体に形成された少なくとも２個以上の支持ピン支持孔とからなることを特徴とする床用目地装置。
【請求項３】
他方の目地プレートおよび一方の目地プレートは金属材で形成されたほぼ格子状のフレームと、このフレームの上部を覆うように皿ビスで固定される金属材製のプレートとで構成されていることを特徴とする請求項１、２いずれかに記載の床用目地装置。
【請求項４】
スラブあるいはスラブの上面に固定された金属材製の支持プレートにスライド移動可能にスライド目地プレートを配置し、該スライド目地プレートの上面に他方の目地プレートと一方の目地プレートとを支持させたことを特徴とする請求項１、２いずれかに記載の床用目地装置。
【発明の詳細な説明】
【技術分野】
【０００１】
本発明は目地部を介して設けられた左右の建物の床目地部を覆う床用目地装置に関する。
【背景技術】
【０００２】
従来の床用目地装置は一方の建物の目地部側の床躯体に反目地部側が傾斜面になる凹部となるように形成した部位に固定された金属材製の支持プレートと、一端部が他方の建物の目地部側の床躯体に上下移動可能に取付けられ、他端部が前記支持プレートを覆い、先端下部に傾斜面を形成された目地プレートとで構成されている。
【０００３】
このため、目地部が狭くなるように左右の建物が地震等で揺れ動いた場合には、支持プレートの傾斜面部位の上部に目地プレートの先端部が乗り上げて、一方の建物方向に目地プレートの先端部が突出するため、一方の建物の床面より大きく上方へ目地プレートの先端部が突出するため、危険になるという欠点があった。  
【特許文献１】特許３３２８１９９
【発明の開示】
【発明が解決しようとする課題】
【０００４】
本発明は以上のような従来の欠点に鑑み、目地部が狭くなるよう左右の建物が地震等によって揺れ動いても、床面より大きく突出することなく、その揺れ動きを吸収することができるとともに、一方の目地プレートおよび他方の目地プレートを常時支持プレートに吸着状態で固定し、上下方向の揺れ動き時に一方の目地プレートや他方の目地プレートがバタついたりするのを確実に阻止することができる床用目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、一方の目地部側の床躯体より、目地部のほぼ３分の２部位へ突出するように形成されたスラブと、このスラブの上面に固定された磁石が吸着される金属材製の支持プレートと、前記スラブと対応する部位の、前記他方の建物の目地部側の床躯体に後端部が取付けられ、上部が傾斜面の先端部が前記支持プレートのほぼ中央部に支持される他方の目地プレートと、この他方の目地プレートを常時前記支持プレートに吸着固定させる他方の目地プレート吸着固定用磁石と、前記他方の目地プレートの先端部と当接する下面に傾斜面が形成された、前記支持プレートの残りの上面を覆う一方の目地プレートと、この一方の目地プレートを常時前記支持プレートに吸着固定させる一方の目地プレート吸着固定用磁石と、前記一方の目地プレートの後端部に少なくとも２個以上取付けられた支持ピンを上下移動可能に支持する、前記スラブの後端部寄りの部位に形成された少なくとも２個以上の支持ピン支持孔とで床用目地装置を構成している。
【発明の効果】
【０００７】
以上の説明から明らかなように、本発明にあっては次に列挙する効果が得られる。
【０００８】
（１）先端部の上部が傾斜面に形成された目地部を覆う他方の目地プレートと、この他方の目地プレートの先端部の傾斜面によって、上方へ押し上げられる先端部の下部が傾斜面に形成された、該他方の目地プレートのほぼ半分の長さの一方の目地プレートを用いているので、地震等で目地部が狭くなるように揺れ動いても、上方へ突出する一方の目地プレートの長さが短く、大きく上方へ突出するのを阻止することができる。
したがって、安全に使用することができる。
【０００９】
（２）前記（１）によって、ほぼ目地部の半分以上の寸法分だけ目地部が狭くなるように他方の目地プレートが移動した状態で、一方の目地プレートの先端部の上方への突出が停止して、該他方の目地プレートの先端部の接触部を中心に先端部が下方へ移動して、後端部を上方へ上げることができる。
したがって、目地部の寸法の半分以上の移動時には、一方の目地プレートが他方の目地プレートの先端部に乗り上がった状態で、一方の目地プレートはほぼ水平状態となり、安全性の向上を図ることができる。
【００１０】
（３）一方の目地プレートおよび他方の目地プレートは、一方の目地プレート吸着固定用磁石および他方の目地プレート吸着固定用磁石によって、常時支持プレートに吸着固定させることができる。
したがって、地震等によって左右の建物が上下方向に揺れ動いても、一方の目地プレートおよび他方の目地プレートがバタついたりするのを確実に防止することができる。
【００１１】
（４）請求項２、３も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図１０に示す本発明を実施するための最良の第１の形態において、１は目地部２を介して設けられた左右の建物３、３の床目地部を覆う本発明の床用目地装置で、この床用目地装置１は前記左右の建物３、３の一方の建物３の目地部側の床躯体３ａより目地部のほぼ３分の２部位へ突出するように形成されたスラブ４と、このスラブ４の上面に形成された目地プレート収納凹部５を覆うように複数本の皿ビス６等によって固定された磁石が吸着される金属材ＳＵＳ４０３等の金属材製の支持プレート７と、前記スラブ４と対応する部位の前記他方の建物３の目地部側の床躯体３ａに、上面が該床躯体３ａの上面と一致するように固定金具８で後端部が固定され、上部が傾斜面９の先端部が前記支持プレート７のほぼ中央部に支持される他方の目地プレート１０と、この他方の目地プレート１０を常時前記支持プレート７に吸着固定させる他方の目地プレート吸着固定用磁石１１と、前記他方の目地プレート１０の先端部と当接する下面に傾斜面１２が形成された前記支持プレート７の残りの上面を覆う一方の目地プレート１３と、この一方の目地プレート１３を常時前記支持プレート７に吸着固定させる一方の目地プレート吸着固定用磁石１４と、前記一方の目地プレート１３の後端部に少なくとも２個以上、回動可能に取付けられた支持ピン１５、１５を上下移動可能に支持する、前記スラブ４の後端部寄りの部位に形成された少なくとも２個以上の支持ピン挿入孔１６、１６が形成された支持ピンガイド筒１７、１７とで構成されている。
【００１４】
前記他方の目地プレート１０は図４および図５に示すように、前記固定金具８に複数本のビス１８等によって固定される角パイプ材製の横バー１９、この横バー１９より所定間隔で前方へ突出するように後端部が溶接等によって固定された先端上面が傾斜面９に形成された多数本の縦バー２０、この多数本の縦バー２０を固定するように取付けられた少なくとも１本以上、本実施の形態では２本の横桟２１、２１とからなる金属材製の格子状のフレーム２２と、このフレーム２２の上部を覆い、複数本の皿ビス２３等によって固定される、先端部が傾斜面９の金属材製のプレート２４とで構成されている。
【００１５】
前記一方の目地プレート１３は図６および図７に示すように、角パイプ材製の横バー１９、この横バー１９より所定間隔で前方へ突出するように後端部が溶接等によって固定された先端部の下面が傾斜面１２に形成された多数本の縦バー２０Ａ、この多数本の縦バー２０Ａを固定するように取付けられた横桟２１とからなる金属材製の格子状のフレーム２２Ａと、このフレーム２２Ａの上部および先端部の傾斜面１２を覆い、複数本の皿ビス２３等によって固定される先端部が傾斜面１２の金属材製のプレート２４Ａとで構成されている。
【００１６】
上記構成の床用目地装置１は通常時は図１ないし図３に示すように、他方の目地プレート１０と一方の目地プレート１３との間に隙間が生じない、あるいはわずかな隙間で目地部２を覆った状態となっている。
【００１７】
地震等によって左右の建物３、３が異なる左右方向に揺れ動き、目地部２が広くなった場合には図８に示すように、他方の目地プレート１０の先端部が支持プレート７上をスライド移動し、その揺れ動きを吸収する。
【００１８】
目地部２が狭くなった場合には図９に示すように、他方の目地プレート１０の先端部が支持プレート７上をスライド移動し、一方の目地プレート１３の先端部を上方へ押し上げるとともに、該一方の目地プレート１３の中央部よりも後端部方向に他方の目地プレート１０の先端部が位置すると、図１０に示すように一方の目地プレート１３が他方の目地プレート１０の先端部を支点に先端部が下方へ移動し、後端部を上方へ移動して、該他方の目地プレート１０上に乗り上がるように回動して、その揺れ動きを吸収する。
なお、左右の建物３、３の揺れ動きが停止した場合には、自動的に元の状態に戻る。
[発明を実施するための異なる形態]
【００１９】
次に、図１１ないし図３６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１１ないし図１４に示す本発明を実施するための第２の形態において、前記本発明を実施するための最良の第１の形態と主に異なる点は、上面が一方の建物３の床面３ｂと同一面となるように形成したスラブ４Ａ、一方の目地プレート１３と、他方の建物３の床躯体３ａの床面３ｂ上に後端部が固定された他方の目地プレート１０とを配置し、一方の目地プレート１３の先端部と後端部にヒンジ部材２５、２５を介して回動可能な外方へ突出する可動カバー板２６、２６と、他方の目地プレート１０の後端部に先端部が床面３ｂに当接する傾斜面のカバー板２７を取付けた点で、このように構成した床用目地装置１Ａにしても、前記本発明を実施するための最良の第１の形態と同様な作用効果が得られるとともに、目地部２が狭くなるように揺れ動いた場合に、可動カバー板２６、２６によって一方の目地プレート１３と床面３ｂや他方の目地プレート１０との間に隙間が生じるのを確実に防止でき、より安全に使用することができる。
【００２１】
図１５ないし図１７に示す本発明を実施するための第３の形態において、前記本発明を実施するための最良の第１の形態と主に異なる点は、一方の建物３の目地部２側の床躯体３ａの床面３ｂに、目地部２の寸法の２倍の長さの凹部２８を形成し、該部に支持プレート７、一方の目地プレート１３および他方の目地プレート１０の先端部を支持させた点で、このように構成した床用目地装置１Ｂにしても、前記本発明を実施するための最良の第１の形態と同様な作用効果が得られる。
【００２２】
図１８ないし図２０に示す本発明を実施するための第４の形態において、前記本発明を実施するための第２の形態と主に異なる点は、一方の建物３の目地部２側の床躯体３ａの床面３ｂに支持プレート７、一方の目地プレート１３および他方の目地プレート１０の先端部を支持させた点で、このように構成した床用目地装置１Ｃにしても、前記本発明を実施するための第２の形態と同様な作用効果が得られる。
【００２３】
図２１ないし図２３に示す本発明を実施するための第５の形態において、前記本発明を実施するための最良の第１の形態と主に異なる点は、金属材製の皿部材１３ａ、１０ａにコンクリート１３ｂあるいはコンクリート１３ｂと該コンクリート１３ｂの上面にタイルを敷き設した一方の目地プレート１３Ａおよび他方の目地プレート１０Ａを用いた点で、このように構成した床用目地装置１Ｄにしても、前記本発明を実施するための最良の第１の形態と同様な作用効果が得られる。
【００２４】
図２４ないし図２７に示す本発明を実施するための第６の形態において、前記本発明を実施するための第５の形態と主に異なる点は、目地プレート収納凹部５の上部にスライド移動可能なスライド目地プレート２９を配置するとともに該スライド目地プレート２９を一端部がスラブ４の先端部に設けられたレール３０にスライド移動可能に支持され他端部が該スラブ４と対応する部位の他方の建物３の目地部側の床躯体３ａに設けられたレール３１にスライド移動可能に支持され取付けられた複数個の支持バー３２、３２で支持できるようにし、前記スライド目地プレート２９に他方の目地プレート１０Ａ、一方の目地プレート１３Ａをスライド移動可能に支持させ、他方の目地プレート１０Ａの先端下部に設けた前記スライド目地プレート２９の先端部の係合部３３、３３と引出す場合には係合し、押し込む場合には外れるか移動可能な係合片３４、３４を設けた点で、このように構成した床用目地装置１Eにしても、前記本発明を実施するための最良の第１の形態と同様な作用効果が得られる。
【００２５】
図２８ないし図３０に示す本発明を実施するための第７の形態において、前記本発明を実施するための第６の形態と主に異なる点は、境界線部のよう壁３５に他方の目地プレート１０Ａを取り付け、建物３のひさし３６部位にスライド目地プレート２９と一方の目地プレート１３Ａを設置した点で、このように構成した床用目地装置１Ｆにしても、前記本発明を実施するための第６の形態と同様な作用効果が得られる。
【００２６】
図３１ないし図３３に示す本発明を実施するための第８の形態において、前記本発明を実施するための第７の形態と主に異なる点は、境界線部のよう壁３５に取り付けられた他方の目地プレート１０Ａと対応する部位の建物３の外周部の躯体の凹部３７の下面にスライド目地プレート２９を配置した点で、このように構成した床用目地装置１Gにしても、前記本発明を実施するための第７の形態と同様な作用効果が得られる。
【００２７】
図３４ないし図３6に示す本発明を実施するための第９の形態において、前記本発明を実施するための第７の形態と主に異なる点は、中央部を枢支ピン３８で枢支した支持バー３２Ａ、３２Ａを使用するとともに、一方の目地プレート１３Ａの後端部側の床躯体３ａあるいはスラブ４に滑車３９、３９を設け、一端部をスライド目地プレート２９の後端部に固定し、他端部を前記滑車３９、３９を通過させるとともに、前記支持バー３２Ａ、３２Ａの一方の先端部のガイド部材４０、４０を通過して他方の先端部に固定した一対のワイヤー４１、４１を用いたスライド目地プレート戻し機構４２を用いた点で、このようなスライド目地プレート戻し機構４２を用いて構成した床用目地装置１Hにしても、前記本発明を実施するための第７の形態と同様な作用効果が得られるとともに、スライド目地プレート２９が引出されても、建物の揺れ動きが停止すると自動的にスライド目地プレート戻し機構４２で元の位置に戻すことができる。
【００２８】
なお、前記本発明の各実施の形態で使用した、他方の目地プレート、一方の目地プレートおよびスライド目地プレートは本発明を実施するための最良の第１の形態の構造や本発明を実施するための第５の形態の構造をいずれの前記本発明の各実施の形態に使用しても良く、また、コンクリートに鉄筋が埋設された目地プレートを使用しても良い。
【産業上の利用可能性】
【００２９】
本発明は床用目地装置を製造する産業および、これを設置する産業で利用される。
【図面の簡単な説明】
【００３０】
【図１】本発明を実施するための最良の第１の形態の平面図。
【図２】本発明を実施するための最良の第１の形態の底面図。
【図３】図１の３―３線に沿う断面図。
【図４】本発明を実施するための最良の第１の形態の他方の目地プレートの側面図。
【図５】本発明を実施するための最良の第１の形態の他方の目地プレートの底面図。
【図６】本発明を実施するための最良の第１の形態の一方の目地プレートの側面図。
【図７】本発明を実施するための最良の第１の形態の一方の目地プレートの底面図。
【図８】本発明を実施するための最良の第１の形態の目地部が広くなった動作説明図。
【図９】本発明を実施するための最良の第１の形態の目地部が狭くなる初期動作説明図。
【図１０】本発明を実施するための最良の第１の形態の目地部が狭くなる後期動作説明図。
【図１１】本発明を実施するための第２の形態の平面図。
【図１２】図１１の１２―１２線に沿う断面図。
【図１３】本発明を実施するための第２の形態の一方の目地プレートの説明図。
【図１４】本発明を実施するための第２の形態の目地部が狭くなった動作説明図。
【図１５】本発明を実施するための第３の形態の平面図。
【図１６】本発明を実施するための第３の形態の底面図。
【図１７】図１５の１７−１７線に沿う断面図。
【図１８】本発明を実施するための第４の形態の平面図。
【図１９】本発明を実施するための第４の形態の底面図。
【図２０】図１８の２０−２０線に沿う断面図。
【図２１】本発明を実施するための第５の形態の平面図。
【図２２】図２１の２２−２２線に沿う断面図。
【図２３】本発明を実施するための第５の形態の他方の目地プレートの説明図。
【図２４】本発明を実施するための第６の形態の平面図。
【図２５】本発明を実施するための第6の形態の底面図。
【図２６】図２４の２６−２６線に沿う断面図。
【図２７】本発明を実施するための第6の形態の動作説明図。
【図２８】本発明を実施するための第７の形態の平面図。
【図２９】本発明を実施するための第７の形態の底面図。
【図３０】図２８の３０−３０線に沿う断面図。
【図３１】本発明を実施するための第８の形態の平面図。
【図３２】本発明を実施するための第８の形態の底面図。
【図３３】図３１の３３−３３線に沿う断面図。
【図３４】本発明を実施するための第９の形態の平面図。
【図３５】本発明を実施するための第９の形態の底面図。
【図３６】図３４の３６−３６線に沿う断面図。
【符号の説明】
【００３１】
１、１Ａ、１Ｂ、１Ｃ、１Ｄ、１E、１Ｆ、１G、１H：床用目地装置、
２：目地部、                    ３：建物、
３ａ：床躯体、                  ３ｂ：床面、
４、４Ａ：スラブ、              ５：目地プレート収納凹部、
６：皿ビス、                    ７：支持プレート、
８：固定金具、                  ９：傾斜面、
１０、１０Ａ：他方の目地プレート、
１１：他方の目地プレート吸着固定用磁石、
１２：傾斜面、                  １３、１３Ａ：一方の目地プレート、
１４：一方の目地プレート吸着固定用磁石、
１５：支持ピン、                １６：支持ピン挿入孔、
１７：支持ピンガイド筒、        １８：ビス、
１９：横バー、                  ２０：縦バー、
２１：横桟、                    ２２、２２Ａ：フレーム、
２３：皿ビス、                  ２４、２４Ａ：プレート、
２５：ヒンジ部材、              ２６：可動カバー板、
２７：カバー板、                ２８：凹部、
２９：スライド目地プレート、    ３０：レール、
３１：レール、                  ３２：支持バー、
３３：係合部、                  ３４：係合片、
３５：よう壁、                  ３６：ひさし、
３７：躯体の凹部、              ３８：枢支ピン、
３９：滑車、                    ４０：ガイド部材、
４１：ワイヤー、                ４２：スライド目地プレート戻し機構。
【図１】
2005126951.tif 000003
【図２】
2005126951.tif 000004
【図３】
2005126951.tif 000005
【図４】
2005126951.tif 000006
【図５】
2005126951.tif 000007
【図６】
2005126951.tif 000008
【図７】
2005126951.tif 000009
【図８】
2005126951.tif 000010
【図９】
2005126951.tif 000011
【図１０】
2005126951.tif 000012
【図１１】
2005126951.tif 000013
【図１２】
2005126951.tif 000014
【図１３】
2005126951.tif 000015
【図１４】
2005126951.tif 000016
【図１５】
2005126951.tif 000017
【図１６】
2005126951.tif 000018
【図１７】
2005126951.tif 000019
【図１８】
2005126951.tif 000020
【図１９】
2005126951.tif 000021
【図２０】
2005126951.tif 000022
【図２１】
2005126951.tif 000023
【図２２】
2005126951.tif 000024
【図２３】
2005126951.tif 000025
【図２４】
2005126951.tif 000026
【図２５】
2005126951.tif 000027
【図２６】
2005126951.tif 000028
【図２７】
2005126951.tif 000029
【図２８】
2005126951.tif 000030
【図２９】
2005126951.tif 000031
【図３０】
2005126951.tif 000032
【図３１】
2005126951.tif 000033
【図３２】
2005126951.tif 000034
【図３３】
2005126951.tif 000035
【図３４】
2005126951.tif 000036
【図３５】
2005126951.tif 000037
【図３６】
2005126951.tif 000038